Podtech/llm-jp-corpus-v4-ja_patent huggingface dataset:
【手続補正書】
【提出日】平成30年7月20日(2018.7.20)
【手続補正１】
【補正対象書類名】特許請求の範囲
【補正対象項目名】全文
【補正方法】変更
【補正の内容】
【特許請求の範囲】
【請求項１】
アイテムを供給および箱詰めする、輸送可能なシステムにおいて、前記システムは、トラックに載せられ、かつ前記トラックによって包囲され、前記システムは、
本体、前記本体の底面に配された１組の車輪、前記本体の上面に配された１組のベアリング、および前記本体により画定された出口を含む、供給カートと、
前記供給カートの前記出口の下に配されたコンベヤシステムであって、前記供給カートの下を循環するように箱のための連続した経路を画定する、コンベヤシステムと、
を含む、システム。
【請求項２】
輸送可能なシステムを用いてアイテムを供給および箱詰めする方法において、前記方法は、
少なくとも２つの供給カートに箱を運ぶことであって、前記少なくとも２つの供給カートは、第１の供給カートおよび第２の供給カートを含み、前記運ぶことは、コンベヤシステムを用いることを含み、前記コンベヤシステムは、前記供給カートの下を循環するように箱のための連続した経路を画定する、ことと、
前記第１の供給カートから第１のアイテムを供給することと、
前記第２の供給カートから第２のアイテムを供給することと、
を含み、
前記第１の供給カートおよび前記第２の供給カートはそれぞれ、本体、前記本体の底面に配された１組の車輪、前記本体の上面に配された１組のベアリング、および前記本体により画定された出口を含む、方法。
【請求項３】
請求項２に記載の方法において、
箱ディスペンサーから前記コンベヤシステム上に前記箱を供給することをさらに含み、
前記連続した経路は、前記箱ディスペンサーから最終位置まで循環する、方法。
【請求項４】
請求項２または３に記載の方法において、
前記箱を再循環経路上で再循環させることをさらに含む、方法。
【請求項５】
請求項２〜４のいずれか１項に記載の方法において、
前記箱のための独自のラベルを印刷することをさらに含む、方法。
【請求項６】
請求項２〜５のいずれか１項に記載の方法において、
前記システムが販売部と目標位置との間を輸送されている間に前記独自のラベルに関する情報を受信することをさらに含む、方法。
【請求項７】
請求項２〜６のいずれか１項に記載の方法において、
前記第１の供給カートおよび前記第２の供給カートをトラックに積み込み、かつ前記トラックから荷降ろしすることをさらに含む、方法。
【請求項８】
請求項２〜７のいずれか１項に記載の方法において、
前記箱のうちの１つが前記第１の供給カートまたは前記第２の供給カートどちらかの前記出口と整列すると、一時停止することをさらに含む、方法。
【請求項９】
アイテムを保管するための輸送可能なカートにおいて、
本体と、
前記本体の底面に配された１組の車輪と、
前記本体の上面に配された１組のベアリングと、
前記本体により画定された出口と、
前記出口の近くに配された一対のドアを前記アイテムが通過するのを制御するように、前記アイテムを保持し、フレームの周りを回転するように構成された１組の回転式コンベヤセルと、
を含む、輸送可能なカート。
【請求項１０】
アイテムを保管するための輸送可能なカートにおいて、
本体と、
前記本体の底面に配された１組の車輪と、
前記本体の上面に配された１組のベアリングと、
前記本体により画定された出口と、
アイテムが前記出口を通過するのを制御するように構成されたエスケープメントと、
を含み、
前記エスケープメントは、ジョーおよびリンク装置を含み、
前記リンク装置は、アクチュエータに係合するインターフェースを含み、
前記アクチュエータは、前記輸送可能なカートに接続されていない電源を有する、輸送可能なカート。
【請求項１１】
請求項１、９、および１０のいずれか１項に記載のシステムまたはカートにおいて、
同じ幅を有する本体を有した少なくとも２つの供給カートをさらに含む、システムまたはカート。
【請求項１２】
請求項１０に記載のシステムまたはカートにおいて、
前記エスケープメントは、一対のジョー、およびリンク装置を含み、
前記リンク装置は、アクチュエータに係合するインターフェースを含む、システムまたはカート。
【請求項１３】
請求項１および９〜１２のいずれか１項に記載のシステムまたはカートにおいて、
第１のアイテムを供給することは、前記アイテムを保持するように構成された１組の回転式コンベヤセルをフレームの周りで回転させて、前記出口の近くに配された一対のドアを前記第１のアイテムが通過するのを制御することを含む、システムまたはカート。
【請求項１４】
請求項１および９〜１３のいずれか１項に記載のシステムまたはカートにおいて、
前記供給カートは、アイテムが前記出口を通過するのを制御するように構成された、クリップまたはらせん状部を含む、システムまたはカート。
【請求項１５】
請求項１および９〜１４のいずれか１項に記載のシステムまたはカートにおいて、
前記供給カートそれぞれの前記１組の車輪のうちの少なくとも１つの車輪は、少なくとも１つの対応するレールと噛み合うように構成された溝をそれぞれ画定している、システムまたはカート。
【請求項１６】
請求項１および９〜１５のいずれか１項に記載のシステムまたはカートにおいて、
前記供給カートの上部にある前記ベアリングは、少なくとも１つのレールに対して転がるように構成されたローラーである、システムまたはカート。
【請求項１７】
請求項１および９〜１６のいずれか１項に記載のシステムまたはカートにおいて、
前記供給カートの上部にある前記ベアリングは、前記トラック内に位置するローラーに係合するための、レールなどのベアリング表面である、システムまたはカート。
【手続補正書】
【提出日】平成30年7月10日(2018.7.10)
【手続補正１】
【補正対象書類名】特許請求の範囲
【補正対象項目名】全文
【補正方法】変更
【補正の内容】
【特許請求の範囲】
【請求項１】
防水性または耐水性の三次元多層生地製品を製作する方法であって、
（ａ）少なくとも１つの継ぎ目に沿って内側ライニング生地または生地複合構造体の複数のパネルを接合して、二次元形状または三次元形状を有する内側ライニング生地アセンブリを形成するステップと、
（ｂ）少なくとも１つの継ぎ目を覆う膜バリアフィルムで内側ライニング生地アセンブリを覆い、内側ライニング生地アセンブリの形状の少なくとも１つの端部を越えて伸びるか、または内側ライニング生地アセンブリの開いたままの継ぎ目を超えて伸びる少なくとも１つのフラップを含ませるステップと、
（ｃ）膜バリアフィルムを内側ライニング生地アセンブリに積層し積層構造を形成し、少なくとも内側ライニング生地アセンブリの形状の縁部に隣接するか、または開いたままの継ぎ目に隣接する領域を積層せずに残すと、
（ｄ）非積層の縁部に隣接する領域に沿って、または開いたままの継ぎ目に沿って積層構造の内側ライニング生地アセンブリを継ぎ合わせ、三次元配置を有する閉じた継ぎ目を形成するステップと、
（ｅ）膜バリアフィルムのフラップを、少なくとも非積層の縁部または閉じた継ぎ目に沿って膜バリアフィルムのさらなる表面と接触するように覆うステップと、
（ｆ）覆うフラップおよび膜バリアフィルムのさらなる表面を密閉するステップと
を含む前記方法。
【請求項２】
ステップ（ａ）が、少なくとも１つの継ぎ目に沿って内側ライニング生地の複数のパネルを継ぎ合わせて三次元形状を形成するステップをさらに含む、請求項１に記載の方法。
【請求項３】
ステップ（ｃ）が熱、圧力、または熱と圧力の両方を適用して内側ライニング生地アセンブリに膜バリアフィルムを積層するステップをさらに含む、請求項２に記載の方法。
【請求項４】
ステップ（ｃ）が三次元真空成形積層テーブル上に三次元形状を置き、熱、真空、または熱および真空を三次元形状および膜バリアフィルムに適用するステップをさらに含む、請求項２に記載の方法。
【請求項５】
ステップ（ｄ）が、未積層縁部に隣接する領域に沿うかまたは開いたままの継ぎ目に沿って内側ライニング生地アセンブリを縫合するか、または超音波溶接するステップをさらに含む、請求項１に記載の方法。
【請求項６】
開いたまま継ぎ目が、ブーティライナーインサート爪先ボックス継ぎ目、ブーティライナーインサートバンプ領域継ぎ目、ブーティライナーインサート側部継ぎ目、ブーティライナーインサートボトム継ぎ目、またはブーティライナーインサートガセット継ぎ目を含む、請求項１に記載の方法。
【請求項７】
ステップ（ａ）において、複数のパネルが踵片、ガセット、靴底、またはガスケットを有する、請求項１に記載の方法。
【請求項８】
膜バリアフィルムが熱または圧力、または熱と圧力の両方の下で自己接着性である材料を含む、請求項１に記載の方法。
【請求項９】
膜バリアフィルムが熱可塑性ポリウレタン、ポリエチレン材料、ポリウレタン材料、架橋ポリウレタン材料、ポリプロピレン材料、ポリエステル材料、発泡ポリ四フッ化エチレン材料、ポリ四フッ化エチレン材料、微孔性ポリ四フッ化エチレン材料、またはナノ多孔質ポリ四フッ化エチレン材料を含む、請求項１に記載の方法。
【請求項１０】
膜バリアフィルムが少なくとも片側に接着剤を有し、接着剤がマイクロドット接着剤、フィルム接着剤、粉末接着剤、またはウェブ接着剤を含む、請求項１に記載の方法。
【請求項１１】
膜バリアフィルムの上に保護層または保護パッチを適用するステップをさらに含む、請求項１に記載の方法。
【請求項１２】
保護層または保護パッチが、トリコット材料を含む、請求項１１に記載の方法。
【請求項１３】
保護パッチが高応力領域の上に適用される、請求項１１に記載の方法。
【請求項１４】
内側ライニング生地と膜バリアフィルムの間に断熱パネルを適用するステップをさらに含み、断熱パネルがエーロゲル断熱、フリース材、または合成繊維材を含む、請求項１に記載の方法。
【請求項１５】
内側ライニング生地が合成繊維、天然繊維、または合成繊維と天然繊維のブレンドを含み、合成繊維が、ポリエステル、ポリアミド、ポリ塩化ビニル、ポリケトン、ポリスルホン、ポリカーボネート、フッ化ポリマー、ポリアクリレート、ポリウレタン、共ポリエーテルエステル、ポリプロピレンまたは共ポリエーテルアミド、またはそれらのブレンドを含み、天然繊維が綿、毛または絹を含む、請求項１に記載の方法。
【請求項１６】
内側ライニング生地が織布、不織布、編物、フェルトまたはフォームを含む、請求項１に記載の方法。
【請求項１７】
生地複合構造体が積層または一緒に接着された生地層を含む構造を含む、請求項１に記載の方法。
【請求項１８】
請求項１に記載の方法によって作られた衣服用のライナーインサート。
【請求項１９】
ライナーインサートがブーツ、靴、ミトン、ソックス、ズボン用のインサートとして構成される、請求項１８に記載のライナーインサート。
【請求項２０】
ライナーインサートがブーティライナーインサートを含む、請求項１８に記載のライナーインサート。
【手続補正２】
【補正対象書類名】図面
【補正対象項目名】図５
【補正方法】変更
【補正の内容】
【図５】
2017523831.tif 000001
【手続補正３】
【補正対象書類名】図面
【補正対象項目名】図６
【補正方法】変更
【補正の内容】
【図６】
2017523831.tif 000002
【手続補正４】
【補正対象書類名】図面
【補正対象項目名】図７
【補正方法】変更
【補正の内容】
【図７】
2017523831.tif 000003
【手続補正５】
【補正対象書類名】図面
【補正対象項目名】図１２
【補正方法】変更
【補正の内容】
【図１２】
2017523831.tif 000004
【手続補正６】
【補正対象書類名】図面
【補正対象項目名】図１３
【補正方法】変更
【補正の内容】
【図１３】
2017523831.tif 000005
【手続補正７】
【補正対象書類名】図面
【補正対象項目名】図１４
【補正方法】変更
【補正の内容】
【図１４】
2017523831.tif 000006
【手続補正８】
【補正対象書類名】図面
【補正対象項目名】図１５
【補正方法】変更
【補正の内容】
【図１５】
2017523831.tif 000007
【手続補正書】
【提出日】平成30年8月2日(2018.8.2)
【手続補正１】
【補正対象書類名】特許請求の範囲
【補正対象項目名】全文
【補正方法】変更
【補正の内容】
【特許請求の範囲】
【請求項１】
（ａ）カニューレの中に同軸上かつ摺動可能に配列された複数のシャフトを備えるカニューレを含むシャフト組立体であって、前記カニューレは平面内において直線状態及び屈曲状態の間で屈曲し得る屈曲可能なセクションを備える、シャフト組立体と、
（ｂ）ハンドピース本体であって、前記カニューレが前記ハンドピース本体に対して回転可能となるように、前記シャフト組立体がそこから遠位方向に延出して前記ハンドピース本体に結合する、ハンドピース本体と、
（ｃ）前記ハンドピース本体内に配置され、患者の鼓膜に少なくとも１つの穴を空けて、中耳腔喚起用チューブを前記患者の前記鼓膜に配備するための所定のシーケンスにおいて前記屈曲可能なセクションが屈曲状態にあるときに、前記屈曲可能なセクションを通って含む前記シフト組立体の前記カニューレに対して前記シャフト組立体の前記複数のシャフトを長手方向に並進させる駆動組立体と、
を備える器具。
【請求項２】
前記シャフト組立体に固定式に取り付けられ、前記カニューレを回転させるように作動可能であるサムホイールをさらに備える、請求項１に記載の器具。
【請求項３】
前記屈曲可能なセクションは浮き彫りパターンを備える、請求項１又は２に記載の器具。
【請求項４】
前記浮き彫りパターンは、複数のリブと、長手方向に延在する部材とを備え、前記複数のリブと前記長手方向に延在する部材は複数の切欠きを形成する、請求項３に記載の器具。
【請求項５】
前記屈曲可能なセクションが継続して力を加えることなく前記屈曲状態に留まることができるように前記屈曲可能なセクションは可鍛性である、請求項１〜４のいずれか一項に記載の器具。
【請求項６】
前記カニューレ及び前記シャフト組立体の前記複数のシャフトのうちの１つのシャフトの少なくとも１つはナイロン又はポリエーテルエーテルケトン（ＰＥＥＫ）のうちの少なくとも１つを含む、請求項１〜５のいずれか一項に記載の器具。
【請求項７】
前記シャフト組立体の前記複数のシャフトは、前記患者の前記鼓膜を穿刺し得る穿刺器を有する、請求項１〜６のいずれか一項に記載の器具。
【請求項８】
前記シャフト組立体の前記複数のシャフトは、前記屈曲可能なセクションが前記屈曲状態のときに前記屈曲可能なセクションの範囲内で屈曲するように構成される、請求項１〜７のいずれか一項に記載の器具。
【請求項９】
前記シャフト組立体の各々のシャフトの間の表面に潤滑剤が塗布される、請求項１〜８のいずれか一項に記載の器具。
【請求項１０】
前記シャフト組立体はさらに、前記カニューレの外径より大きな外径をもつ先端部材を備える、請求項１〜９のいずれか一項に記載の器具。
【請求項１１】
前記先端部材は、前記カニューレと一体式に形成される、請求項１０に記載の器具。
【請求項１２】
前記先端部材は、前記鼓膜に対して有意な圧力を加えることなしに前記患者の前記鼓膜に対して適切な付着を達成し得る、請求項１０又は１１に記載の器具。
【請求項１３】
前記先端部材は、前記カニューレの長手方向軸に対して斜めに角度を成す遠位端を有する、請求項１０〜１２のいずれか一項に記載の器具。
【請求項１４】
前記カニューレ及び前記シャフト組立体の前記複数のシャフトは、前記屈曲可能なセクションが前記屈曲状態にあるときに前記屈曲可能なセクション全体を通して中立軸を維持し得る、請求項１〜１３のいずれか一項に記載の器具。
【手続補正書】
【提出日】平成30年7月25日(2018.7.25)
【手続補正１】
【補正対象書類名】特許請求の範囲
【補正対象項目名】全文
【補正方法】変更
【補正の内容】
【特許請求の範囲】
【請求項１】
患者の呼吸障害を治療するシステムであって、
前記患者に呼吸器治療を伝達するように構成された呼吸圧力治療装置と、
１つ以上のプロセッサーと
を含んでなり、
該１つ以上のプロセッサーは、
前記呼吸圧力治療装置を経て患者に伝達された呼吸治療に関するデータを解析し、前記呼吸治療の進捗のコンプライアンス予測を表すデータを生成し、
前記プロセッサーを用いて行動を選択し、前記コンプライアンス予測を表すデータに基づき呼吸器治療を改善し、
選択した前記行動を採用または促進して呼吸器治療を改善するものである、システム。
【請求項２】
前記呼吸治療が治療プログラムに従うものであり、前記行動が該治療プログラムに対する調整である、請求項１に記載のシステム。
【請求項３】
前記患者に伝達された呼吸治療に関するデータが、治療データと、１つ以上の呼吸治療の変数を表す呼吸治療の治療データの要約統計量を含む要約データと、患者の呼吸圧力治療装置の使用がコンプライアンスルールに従っているかどうかを示すコンプライアンスデータと、患者の生理学的データと、患者のプロファイルデータと、患者の電子医療記録とのうちの少なくとも１つを含むものである請求項１に記載のシステム。
【請求項４】
前記コンプライアンス予測を表すデータが、前記患者が所定のコンプライアンスルールに従っている可能性を示すスコアである請求項１に記載のシステム。
【請求項５】
前記データを解析することが、コンプライアンスモデルをデータに適用して前記スコアを生成することをさらに含むものである請求項４に記載のシステム。
【請求項６】
前記１つ以上のプロセッサーは、行動を選択する前に、行動が必要かどうか決定するようにさらに構成されている請求項１に記載のシステム。  
【請求項７】
前記行動が必要かどうか決定することが、前記コンプライアンス予測を表すデータに基づくものである請求項６に記載のシステム。
【請求項８】
前記コンプライアンス予測を表すデータが、前記患者が所定のコンプライアンスルールを順守することを選択する可能性を示すスコアである請求項７に記載のシステム。
【請求項９】
前記行動が必要かどうか決定することが、前記スコアを閾値と比較することを含むものである、請求項８に記載のシステム。
【請求項１０】
前記行動が必要かどうか決定することは、
第１のカウント閾値に等しいセッション数に対して、前記スコアが、第１の閾値以下であったかどうかと、以前のセッションで計算されたスコア以下であったかどうかとを決めることと、
前記スコアが、以前のセッションで計算されたスコア以上でないかどうかを決めることと
をさらに含むものである請求項８に記載のシステム。
【請求項１１】
前記行動が必要かどうか決定することは、前記スコアが、第２の閾値以下であったかどうかと、第２のカウント閾値に等しいセション数に対して、以前のセッションで計算されたスコア以下であったかどうかとを決めることをさらに含む請求項１０に記載のシステム。
【請求項１２】
前記行動が必要かどうか決定することは、前記スコアが複数のさらなる条件の質を満足しているかどうかを決めることをさらに含む請求項１０に記載のシステム。
【請求項１３】
前記行動が必要かどうか決定することは、前記患者にリスクがあると決定されると、前記第１のカウントの閾値を増分することをさらに含む請求項１０に記載のシステム。
【請求項１４】
前記行動が介入であり、前記行動が必要かどうか決定することが該介入を仮定する統計を閾値と比較することを含むものである請求項１０に記載のシステム。
【請求項１５】
前記統計が、前記介入後に前記患者が所定のコンプライアンスルールを順守するようになる可能性である請求項１４に記載のシステム。
【請求項１６】
前記１つ以上のプロセッサーは、前記呼吸治療に関連したデータを解析してさらなる予測を生成するように構成されており、該さらなる予測は、前記患者の呼吸疾患に関連した臨床イベントを当該患者が経験する可能性と、前記患者の呼吸疾患と合併症とを当該患者が発症する可能性とのうちの少なくとも１つである請求項１に記載のシステム。
【請求項１７】
前記呼吸治療に関連したデータを解析することが、イベントモデルを前記データに適用することを含むものである請求項１６に記載のシステム。
【請求項１８】
前記行動が、ヘルスケア・プロバイダーに警告を発することを含むものである請求項６に記載のシステム。
【請求項１９】
前記治療プログラムが、前記呼吸圧力治療装置を設定することを含むものである請求項２に記載のシステム。
【請求項２０】
前記治療プログラムに対する調整が、前記呼吸圧力治療装置の設定を変更することを含むものである請求項１９に記載のシステム。
【請求項２１】
前記治療プログラムが、患者インタフェースの１つ以上のモデル、タイプおよびサイズを含むものであり、前記呼吸圧力治療装置が該患者インタフェースを通じて呼吸治療を前記患者に伝達するものである請求項２に記載のシステム。
【請求項２２】
前記治療プログラムに対する調整が、前記患者インタフェースに対する変更を含むものである請求項２１に記載のシステム。
【請求項２３】
患者の呼吸圧力治療のコンプライアンスをモニタリングするシステムであって、
患者呼吸圧力治療に関するデータを受信するように構成された１つ以上のプロセッサーを含んでおり、
前記１つ以上のプロセッサーは、
前記患者の前記呼吸圧力治療に関する使用データを解析するように構成され、該使用データは日数に関連するものであり、
前記使用データの解析に基づいて前記患者呼吸圧力治療に関するコンプライアンス予測指標を生成し、該コンプライアンス予測指標は、コンプライアンスがあるかどうかを表すものであり、
前記コンプライアンス予測指標の評価に基づいて、前記患者の前記呼吸圧力治療のコンプライアンスを改善する関与行動を推奨する
ように構成されているシステム。
【手続補正書】
【提出日】平成30年5月28日(2018.5.28)
【手続補正１】
【補正対象書類名】特許請求の範囲
【補正対象項目名】全文
【補正方法】変更
【補正の内容】
【特許請求の範囲】
【請求項１】
頭部（１６）を有し、シャンク（２）を有し、先端（１５）を有するねじ（１）であって、前記ねじは、頭部面（３）に、輪郭（５）を備える凹部（４）を有し、前記ねじ（１）は、前記凹部（４）内に、予め定められた破壊点（７）によって前記ねじ（１）に接続される挿通ポスト（６）を備え、前記予め定められた破壊点の破断後に、工具（１２）の嵌め合わせ輪郭（１３）は、前記凹部（４）の前記輪郭（５）と作動的に接続する状態で設置されることができ、
前記挿通ポスト（６）の除去後に前記工具（１２）と前記ねじ（１）との間のトルクの伝達が前記輪郭（５）および嵌め合わせ輪郭（１３）によって可能であるように、前記予め定められた破壊点（７）は前記凹部（４）内に配置されることを特徴とする、ねじ（１）。
【請求項２】
前記予め定められた破壊点（７）は、前記ねじ（１）の端部面（３）に対して引っ込められるように配置される、請求項１に記載のねじ（１）。
【請求項３】
前記凹部（４）は、前記輪郭（５）に隣接する開口（８）を有する、請求項１および２のいずれかに記載のねじ（１）。
【請求項４】
前記ねじ（１）および前記挿通ポスト（６）は、カニューレ（１９，２１）を有する、請求項１〜３のいずれか１項に記載のねじ（１）。
【請求項５】
前記予め定められた破壊点（７）は、狭窄の形態の材料脆弱部として形成される、請求項１〜４のいずれか１項に記載のねじ（１）。
【請求項６】
前記挿通ポスト（６）は、前記予め定められた破壊点（７）によってポスト先端（９）を一体に備え、前記ポスト先端（９）は、前記ねじ（１）の前記凹部（４）における嵌め合わせ輪郭（１０）によるトルクの伝達のための輪郭（１１）を有する、請求項１〜５のいずれか１項に記載のねじ（１）。
【請求項７】
前記挿通ポスト（６）は、前記ポスト先端（９）とは別に形成され、前記予め定められた破壊点（７）によって前記ポスト先端（９）に接続可能であるかまたは接続され、前記ポスト先端（９）は、前記凹部における嵌め合わせ輪郭（１０）によるトルクの伝達のための輪郭（１１）を有する、請求項１〜６のいずれか１項に記載のねじ（１）。
【請求項８】
前記予め定められた破壊点（７）は、骨の動き始めのトルクよりも低いトルクの存在下で破断するよう設計される、請求項１〜７のいずれか１項に記載のねじ（１）。
【請求項９】
前記挿通ポスト（６）および前記ねじ（１）は、一体になっている、請求項１〜８のいずれか１項に記載のねじ（１）。
【請求項１０】
前記挿通ポスト（６）は、止まり穴（８）にねじ込まれる、請求項１〜９のいずれか１項に記載のねじ（１）。
【請求項１１】
前記挿通ポスト（６）は、前記凹部（４）の止まり穴（８）に押し込まれる、請求項１〜９のいずれか１項に記載のねじ（１）。
【請求項１２】
前記凹部（４）の前記輪郭（５）は、六角形ソケット、ヘキサロビュラーソケット、正方形、またはフィリップスの形態をしている、請求項１〜１１のいずれか１項に記載のねじ（１）。
【請求項１３】
前記ねじ（１）および前記挿通ポストは、チタン、チタン合金、スチール、プラスチック、吸収性金属または吸収性プラスチックからなるリストからの生体適合性材料で構成される、請求項１〜１２のいずれか１項に記載のねじ（１）。
【請求項１４】
前記挿通ポスト（６）は、前記予め定められた破壊点（７）の破断後に読取られるおよび／または保存されることができる製品固有の表示を備える、請求項１〜１３のいずれか１項に記載のねじ（１）。
【請求項１５】
前記ねじ（１）は、骨ねじである、請求項１に記載のねじ（１）。
【請求項１６】
前記予め定められた破壊点（７）は、前記輪郭（５）のベース面（２３）の深さにおいて、前記ねじ（１）の端部面（３）に対して引っ込められるように配置される、請求項２に記載のねじ（１）。
【請求項１７】
前記ポスト先端（９）は、前記ねじ（１）の前記開口（８）における嵌め合わせ輪郭（１０）によるトルクの伝達のための輪郭（１１）を有する、請求項７に記載のねじ（１）。
【請求項１８】
前記挿通ポスト（６）は、止まり穴（８）にさらに押し込まれる、請求項１０に記載のねじ（１）。
【請求項１９】
前記挿通ポスト（６）は、バッチ番号、バーコードまたはロゴを備える、請求項１４に記載のねじ（１）。
【請求項２０】
請求項１〜１９のいずれか１項に記載の少なくとも１つのねじ（１）を有し、前記ねじ（１）の前記凹部（４）の前記輪郭（５）に相補的な嵌め合わせ輪郭（１３）を有する工具（１２）を有する、セット。
【請求項２１】
前記ねじ（１）の前記凹部（４）の前記輪郭（５）に対する嵌め合わせ輪郭（１３）を有する少なくとも１つの工具（１２）を有し、請求項１〜１９のいずれか１項に記載の少なくとも１つのねじ（１）を有する、セット。
【請求項２２】
骨プレートをさらに備える、請求項２１に記載のセット。
【請求項２３】
挿通ポスト（６）を有するねじ（１）の製造方法であって、
ねじ頭部（１６）とシャンク（２）とねじ先端とを有するねじ本体（１）を設けるステップを備え、前記ねじ本体（１）は、工具（１２）のための輪郭（５）を備える凹部（４）を有し、前記方法はさらに、
前記ねじに一体に接続され、予め定められた破壊点によってポスト先端に接続される挿通ポスト（６）を設けるステップを備え、前記予め定められた破壊点は、前記凹部（４）内に配置される、方法。
【請求項２４】
挿通ポスト（６）を有するねじ（１）の製造方法であって、
頭部とシャンク（２）と先端とを有するねじ本体（１）を設けるステップを備え、前記ねじ本体（１）は、輪郭（５）を備える凹部（４）と、隣接する開口（８）とを有し、前記方法はさらに、
予め定められた破壊点（７）によってポスト先端（９）に接続されるポスト（６）を設けるステップと、
前記ポスト先端（９）および前記開口（８）によって前記ポスト（６）および前記ねじ本体（１）をともに接合するステップとを備える、方法。
【請求項２５】
前記ポスト（６）は、前記ねじ本体（１）にねじ込まれる、請求項２４に記載の方法。
【請求項２６】
前記ポスト（６）は、前記ねじ本体（１）に押し込まれる、請求項２４に記載の方法。
【請求項２７】
前記ポスト（６）は、前記ねじ本体（１）にさらに押し込まれる、請求項２５に記載の方法。
【手続補正書】
【提出日】平成30年7月20日(2018.7.20)
【手続補正１】
【補正対象書類名】特許請求の範囲
【補正対象項目名】全文
【補正方法】変更
【補正の内容】
【特許請求の範囲】
【請求項１】
遠位部に配置されたカニューレと、近位部に配置され、前記カニューレに接続された中空ハブとを備えるＩＶカテーテルと、
前記ＩＶカテーテルの近位部または前記ＩＶカテーテルの近位部に接続された要素に取り外し可能に接続され、遠位方向に延びる前方アームと、
前記カニューレに挿通され、前記カニューレの先端から突出するように構成された針とを有することを特徴とするカテーテル挿入システム。
【請求項２】
前記前方アームの遠位端部には、第１前方グリップが配置されていることを特徴とする請求項１に記載のシステム。
【請求項３】
前記前方アームは、前記第１前方グリップと前記前方アームの近位部に設けられた下方接続部とを接続する中間部を備え、
前記下方接続部は、下方向に延びる湾曲した２つのアームを備えることを特徴とする請求項２に記載のシステム。
【請求項４】
前記前方アームの近位端部には、昇降可能な固定部が配置され、
前記ＩＶカテーテルの近位端部には、上方に突出する突起を備える中空端部が形成され、
前記固定部の近位端部には、下方に突出する突起が設けられ、前記固定部に設けられた突起の遠位部は、前記中空端部に設けられた突起の近位部と接触および係合することを特徴とする請求項１に記載のシステム。
【請求項５】
前記中間部は、前記第１前方グリップに接続された遠位部と、前記遠位部よりも細く構成され、前記下方接続部に接続された近位部とを含み、
前記中間部の近位部は、柔軟であることを特徴とする請求項３に記載のシステム。
【請求項６】
前記針と、前記針と平行に延びる２つのサイドアームとを備える針ホルダユニットを有し、
前記針ホルダユニットは、近位ハブを備え、
前記針は、前記近位ハブの遠位端に接続され、
前記２つのサイドアームは、前記近位ハブの近位端に接続されることを特徴とする請求項１に記載のシステム。
【請求項７】
前記２つのサイドアームの遠位端部には、遠位方向に向かって徐々に接近するように傾斜した傾斜部が設けられていることを特徴とする請求項６に記載のシステム。
【請求項８】
前記ＩＶカテーテルの近位端部には、輸液ラインに接続可能であり、かつ、キャップを取り付け可能な中空端部が形成され、
前記針ホルダユニットの近位ハブの一部が、前記ＩＶカテーテルの近位端部に形成された中空端部内に挿入され、固定されることを特徴とする請求項６に記載のシステム。
【請求項９】
前記ＩＶカテーテルの近位端部に形成された中空端部と、前記中空端部の近位端に接続された安全装置とをさらに有し、
前記安全装置は、前記針に沿ってスライド可能であり、前記針の先端を自動的に感知および被覆するように構成されていることを特徴とする請求項１に記載のシステム。
【請求項１０】
前記前方アームの遠位端部には、第１前方グリップが配置されており、
前記前方アームは、前記第１前方グリップと前記前方アームの近位部に設けられた下方接続部とを接続する中間部を備え、
前記下方接続部は、下方向に延びる湾曲した２つのアームを備え、
前記前方アームの近位部に設けられた下方接続部が前記安全装置に取り外し可能に接続されることで、前記前方アームが前記安全装置に固定されることを特徴とする請求項９に記載のシステム。
【請求項１１】
前記針ホルダユニットを前記カニューレに取り付ける際、および／または、前記針ホルダユニットを前記カニューレから取り外す際、前記傾斜部と前記近位ハブおよび／または前記前方アームの近位部に設けられた下方接続部が接触することを防止するため、前記サイドアームは外側方向に開閉可能に構成されることを特徴とする請求項７に記載のシステム。
【請求項１２】
遠位部に配置されたカニューレと、近位部に配置され、前記カニューレに接続された中空ハブとを備え、かつ、近位端部に中空端部が形成されたＩＶカテーテルと、
前記ＩＶカテーテルの近位部または前記ＩＶカテーテルの近位部に接続された要素に取り外し可能に接続され、遠位方向に延びる前方アームと、
近位端に前記ＩＶカテーテルを取り付けるための取付部を備えるカテーテル挟持ユニットとを有し、
前記取付部の中空部の内面は、前記ＩＶカテーテルの近位端部の表面に対応した形状を有し、前記表面を包囲するように構成され、
前記カテーテル挟持ユニットは、前記取付部に接続された２つのサイドアームを備えることを特徴とするカテーテル挿入システム。
【請求項１３】
前記前方アームは、前記前方アームの遠位端部に設けられた第１前方グリップと、前記前方アームの近位部に設けられた下方接続部とを接続する中間部を備え、
前記下方接続部は、下方向に延びる湾曲した２つのアームを備え、
前記カテーテル挟持ユニットを前記カニューレに取り付ける際、および／または、前記カテーテル挟持ユニットを前記カニューレから取り外す際に前記サイドアームの遠位端部に形成された傾斜部と前記近位ハブおよび／または前記下方接続部が接触することを防止するため、前記サイドアームは外側方向に開閉可能に構成されることを特徴とする請求項１２に記載のシステム。
【請求項１４】
遠位部に配置されたカニューレと、近位部に配置され、前記カニューレに接続された中空ハブとを備え、かつ、近位端部に中空端部が形成されたＩＶカテーテルと、
前記ＩＶカテーテルの近位部または前記ＩＶカテーテルの近位部に接続された要素に取り外し可能に接続され、前記ＩＶカテーテルの遠位方向に延びる前方アームと、
針と、前記針の近位端に接続され、かつ、係止具が設けられた近位ハブとを備える針ユニットと、
前記針ユニットの近位ハブに前記ＩＶカテーテルを取り付けるための取付部を備えるカテーテル挟持ユニットとを有し、
前記取付部の中空部の内面は、前記ＩＶカテーテルの近位端部の表面に対応した形状を有し、前記表面を包囲するように構成され、
前記カテーテル挟持ユニットは、前記取付部に接続された２つのサイドアームを備え、
前記針ユニットの近位ハブの遠位端部は、前記中空端部の近位端に接続されることを特徴とするカテーテル挿入システム。
【請求項１５】
近位端部に配置された取付部と、前記取付部に接続された２つのサイドアームとを有し、
前記取付部の中空内面は、針ユニットの近位ハブ、カテーテルの近位ハブまたはカテーテルの近位端部の表面に対応した形状を有し、前記表面を包囲するように構成され、
前記２つのサイドアームの遠位端部には、遠位方向に向かって徐々に接近するように傾斜した傾斜部が設けられ、
前記２つのサイドアームの前記傾斜部より近位側の部分は、直線状かつ相互に平行であり、
前記傾斜部の遠位端には、第２前方グリップが接続され、
前記第２前方グリップは、相互に平行に延びることを特徴とするカテーテル挟持ユニット。
【手続補正書】
【提出日】平成30年6月29日(2018.6.29)
【手続補正１】
【補正対象書類名】明細書
【補正対象項目名】０００３
【補正方法】変更
【補正の内容】
【０００３】
胃腸（ＧＩ）管に医療デバイスを植え込むことにより、多くの胃腸疾患を治療することができる。これらの疾患には、二型糖尿病、肥満、胃食道逆流症（ＧＥＲＤ）、縫合不全、ろう（ｆｉｓｔｕｌａ）および潰瘍性大腸炎が挙げられる。これらの疾患を治療するために、ステント、スリーブおよび弁を含む多種多様なデバイスが存在する。治療デバイスをＧＩ管に取り付ける際の１つの課題は、移動である。移動の原因は多岐にわたる。第１に、ＧＩ管の粘膜層は頻繁にはがれ落ちて再生し、それにより、粘膜への取付を介して十二指腸内にデバイスを長期間取り付ける能力が限られる。第２に、ＧＩ管内の蠕動運動により、インプラントが移動しやすくなる。さらに、ＧＩ管内の消化酵素により、多くの植え込まれた材料が劣化する可能性がある。
【手続補正２】
【補正対象書類名】明細書
【補正対象項目名】００１３
【補正方法】変更
【補正の内容】
【００１３】
いくつかの実施形態では、図３に示すように、本体１８は、本体１８に接続された多孔質材料部分２８を含むことができる。多孔質材料部分２８は、本体１８の半径方向の力により拡張しかつ圧縮されるように適合されている。いくつかの実施形態では、本体１８が多孔質材料部分２８を含むことができ、かつ／または本体１８自体の少なくとも一部が多孔質材料部分２８を含むことができ、それにより、本体１８を患者の内腔壁に付着させるように、最終的な送達部位において組織が開口部３２内に内部成長するのを可能にする。多孔質材料部分２８は、本体１８を完全に覆い、もしくは部分的に覆うことができ、または本体１８は覆われず、開口部３２が多孔質材料部分２８を含む本体を通って延在することができる。図３に示すように、本体１８の外面３６に多孔質材料部分２８を配置することができる。いくつかの実施形態では、本体１８の上に多孔質材料部分２８を押出成形することができる。別法として、多孔質材料部分２８を本体１８と合わせて織るか、または本体１８の内面に配置することができる。いくつかの実施形態では、本体１８は、本体１８の一部にコーティング３４を含むことができ、それは、近位部分１２から遠位部分１６に流れる液体および栄養分が本体１８のコーティング部分３４を通過しないように、液体不透過性である。コーティング３４を含む本体１８は多孔質材料部分２８を含み、それにより、治療部位においてプロテーゼ１０を適所に保持するように、組織が多孔質材料部分２８内に成長することができる。多孔質材料部分２８は、コーティング３４の上であるかまたはコーティング３４の近位であり得る。多孔質材料部分２８は、より詳細に後述するように、短期間固定システムに加えてかつそれが使用された後、より長期間の固定のために、組織内部成長によってプロテーゼ１０を治療部位に付着させることができるように適合されている。
【手続補正３】
【補正対象書類名】明細書
【補正対象項目名】００１４
【補正方法】変更
【補正の内容】
【００１４】
いくつかの実施形態では、プロテーゼ１０の本体１８は、波形に織るかまたは折り畳むことができる。近位部分１２を形成する材料の限定しない例としては、ニチノール、ステンレス鋼およびプラチナ等の金属、ポリエステル、ナイロンおよびポリオレフィン等のポリマー、またはガラス繊維等の複合材が挙げられる。本体１８を形成する他の材料も使用することができる。
【手続補正４】
【補正対象書類名】明細書
【補正対象項目名】００１９
【補正方法】変更
【補正の内容】
【００１９】
いくつかの実施形態では、材料部分２２の外面６２に接着部分６０を配置することができる。いくつかの実施形態では、接着部分６０が、患者の体内腔内の流体と接触したときに多孔質外面６２の細孔開口部６４を通って流れて、材料部分２２の外面６３と組織との間に接合部を形成するように、材料部分２２の外面６２は多孔質外面６２であり得る。いくつかの実施形態では、図５および図７に示すように、外面６２の少なくとも一部の上に接着部分をランダムに分散させることができる。いくつかの実施形態では、接着部分６０を材料部分２２の外面６２に図６に示すようなパターンで付与することができる。たとえば、プロテーゼ１０が十二指腸内に配置される場合、材料部分２２を開放して保持するのを容易にするために、材料部分２２の遠位端部５２に接着部分６０を含めることができる。材料部分２２はまた、長期間の植込みに対して組織内部成長を促進するために、遠位端部５２に、複数の細孔６４を有する多孔質外面６２を有することも可能である。いくつかの実施形態では、細孔径は、約２０ミクロン〜１０００ミクロンであり得る。いくつかの実施形態では、細孔径は、約５０ミクロン〜３００ミクロンであり得る。いくつかの実施形態では、接着部分６０は、材料部分２２の近位部分２３から材料部分２２の遠位部分５１まで延在することができる。他の実施形態では、接着部分６０は、たとえば、プロテーゼ１０がＬＥＳ内に配置される場合に対して、材料部分２２の遠位端部５２が組織に付着することなく自由に閉鎖する状態で、材料部分２２の近位部分２３の上に延在することができる。
【手続補正書】
【提出日】平成30年8月6日(2018.8.6)
【手続補正１】
【補正対象書類名】特許請求の範囲
【補正対象項目名】全文
【補正方法】変更
【補正の内容】
【特許請求の範囲】
【請求項１】
（ａ）複数の支柱により互いに連結される複数の多角形支持リングを含有してなるメッシュ支持フレーム、及び
（ｂ）複数の生体適合性モザイクプレート
を含有してなり、
該多角形支持リングが該モザイクプレート内に位置決めされ、該支柱が隣接するプレート間に延在する、骨欠損に使用するためのモザイクインプラント。
【請求項２】
インプラントが、湾曲表面に一致する、請求項１に記載のモザイクインプラント。
【請求項３】
支持リング及びモザイクプレートの少なくとも一部が、六角形形状を有する、請求項１又は２に記載のモザイクインプラント。
【請求項４】
インプラントが、患者へのモザイクインプラントの取り付けを容易にする複数の締結ポイントを含む、請求項１から３の何れか一項に記載のモザイクインプラント。
【請求項５】
モザイクプレートが、互いに均等に離間される複数の同一六角形プレートからなる中央配列、及び該中央配列の周辺部の周りに配置されている第２の複数の非同一プレートを含む、請求項１から４の何れか一項に記載のモザイクインプラント。
【請求項６】
メッシュ支持フレームが、互いに離間関係にある多角形支持リングの反復パターンを含む、請求項１から５の何れか一項に記載のモザイクインプラント。
【請求項７】
支柱が、隣接する多角形支持リングの頂点間に延在する、請求項６に記載のモザイクインプラント。
【請求項８】
多角形支持リングの反復パターンの周辺部の少なくとも一部の周りに延在する外側縁部を更に含む、請求項６又は７に記載のモザイクインプラント。
【請求項９】
多角形支持リングが、六角平行多辺形を含む、請求項８に記載のモザイクインプラント。
【請求項１０】
インプラントが、インプラントの外周部から遠ざかるように延在する保持アームに設けられている保持アイレットを含む複数の締結ポイントを含む、請求項１から９の何れか一項に記載のモザイクインプラント。
【請求項１１】
保持アームが変形可能であり、インプラントの残部が剛性である、請求項１０に記載のモザイクインプラント。
【請求項１２】
支柱が、中央配列にある隣接する六角形プレートの頂点間に延在する、請求項５に記載のモザイクインプラント。
【請求項１３】
支持フレームが、支持フレームの周辺部の周りに延在する外側縁部を更に含む、請求項１２に記載のモザイクインプラント。
【請求項１４】
外側縁部が、複数の第２のプレートを通って延在する、請求項１３に記載のモザイクインプラント。
【請求項１５】
生体適合性モザイクプレートが、水硬性セメント組成物を含む、請求項１から１４の何れか一項に記載のモザイクインプラント。
【請求項１６】
生体適合性モザイクプレートが、少なくとも５５重量％のモネタイトを含むセメントを含む、請求項１５に記載のモザイクインプラント。
【請求項１７】
支柱及び多角形支持リングの側面が、相互連結されるワイヤセグメントの一体構造を構成し、更に、支柱及び多角形支持リングの側面を形成するワイヤセグメントの全てが、仮想平面基部に対して４５度を超える角度で斜めになっている、請求項１から１６の何れか一項に記載のモザイクインプラント。
【請求項１８】
請求項１〜１７の何れか一項に記載のインプラントセクションに使用される、メッシュ支持フレーム。
【請求項１９】
積層造形技術による、請求項１〜１７の何れか一項に記載のインプラントを製造する方法。
【請求項２０】
（ａ）上部表面及び底部表面を有する生体適合性プレート；並びに
（ｂ）−該プレート内に少なくとも部分的に位置する中央部分、
−該プレートが挿入される穿孔穴周囲の骨にインプラントを取り付けるように構
成される複数の締結ポイントを有する多角形外側縁部、及び
−該中央部分と該外側縁部との間に延在する複数のアーム、
を有する支持フレームを含み、
複数のアームが、外側縁部から遠ざかるように内側及び下方に延在し、
中央部分が、外側縁部の平面より下方に位置し、
プレートの上部表面が、外側縁部の上部表面と同じ高さであるか又はわずかに上方にある、骨の穿孔穴を充填するためのインプラント。
【手続補正書】
【提出日】平成30年8月10日(2018.8.10)
【手続補正１】
【補正対象書類名】特許請求の範囲
【補正対象項目名】全文
【補正方法】変更
【補正の内容】
【特許請求の範囲】
【請求項１】
四肢を外固定するためのクランプ組立体であって、前記クランプ組立体が、
長手軸を有する主クランプ本体であって、前記主クランプ本体が少なくとも１つの穴を画定し、前記少なくとも１つの穴が少なくとも１つの骨ピンを受入れるように構成される、主クランプ本体と、
第１ロッド組立体に接続するように構成された第１クランプと、
第２ロッド組立体に接続するように構成された第２クランプと、
前記長手軸に沿って延びる滑動クランプであって、前記滑動クランプが、前記長手軸に沿って移動して前記少なくとも１つの骨ピンを所定の場所に固定するように構成される、滑動クランプと、
前記滑動クランプに結合され且つ前記滑動クランプを作動するように構成された固定ボルトと、
を備える、クランプ組立体。
【請求項２】
前記固定ボルトが、前記主クランプ本体の側面の中へ前記長手軸に沿って延びる、請求項１に記載のクランプ組立体。
【請求項３】
前記少なくとも１つの骨ピンが２つ以上の骨ピンを含み、且つ、前記滑動クランプが前記２つ以上の骨ピンに係合するように構成される、請求項１又は２に記載のクランプ組立体。
【請求項４】
前記長手軸に沿って移動して前記少なくとも１つの骨ピンを所定の場所に固定するように構成された前記滑動クランプが、前記主クランプ本体に対して前記少なくとも１つの骨ピンを固定するように構成される、請求項１〜３のいずれか１項に記載のクランプ組立体。
【請求項５】
前記少なくとも１つの穴内に位置付けられた少なくとも１つのブッシングを備え、
前記長手軸に沿って移動して前記少なくとも１つの骨ピンを所定の場所に固定するように構成された前記滑動クランプが、前記少なくとも１つの骨ピンを前記少なくとも１つのブッシングに対して固定するように構成される、
請求項１〜４のいずれか１項に記載のクランプ組立体。
【請求項６】
前記滑動クランプが少なくとも１つの開口を画定し、前記少なくとも１つの開口が、斜面を有する少なくとも１つの傾斜路部分によって画定され、且つ、前記少なくとも１つの傾斜路部分が前記少なくとも１つの骨ピンを所定の場所に固定するように構成される、請求項１〜５のいずれか１項に記載のクランプ組立体。
【請求項７】
前記少なくとも１つの傾斜路部分の少なくとも一部分が、前記少なくとも１つの骨ピンを所定の場所に固定するために複数の歯を画定する、請求項６に記載のクランプ組立体。
【請求項８】
前記滑動クランプが少なくとも１つの開口を画定し、前記開口が前記少なくとも１つの骨ピンを所定の場所に固定するように構成された１組の歯を画定する、請求項１〜７のいずれか１項に記載のクランプ組立体。
【請求項９】
前記滑動クランプが少なくとも１つの開口を画定し、前記開口が、前記少なくとも１つの骨ピンを所定の場所に固定するように構成された第１組の歯及び第２組の歯を画定する、請求項１〜８のいずれか１項に記載のクランプ組立体。
【請求項１０】
前記滑動クランプが２つの開口を画定し、且つ、前記２つの開口が前記長手軸の周りで対称形である、請求項１〜９のいずれか１項に記載のクランプ組立体。
【請求項１１】
前記滑動クランプが４つの開口を画定し、前記４つの開口が前記長手軸の周りで対称形である、請求項１〜１０のいずれか１項に記載のクランプ組立体。
【請求項１２】
第１端部を有し且つルーメンを画定する組織スリーブであって、前記組織スリーブが、少なくとも１つの骨ピンを受入れるように構成された前記主クランプ本体の前記少なくとも１つの穴を通って延びるように構成される、組織スリーブと、
前記組織スリーブの前記第１端部に接続された第１グリップであって、前記第１グリップがノッチを画定する、第１グリップと、
第１端部を有し且つ前記ルーメンを通って延びるように構成された閉塞具と、
前記閉塞具の前記第１端部に接続された第２グリップであって、前記第２グリップが突出部を画定する、第２グリップと、
を含む、トロカール組立体を備え、
前記第１グリップと前記第２グリップが、前記突出部と前記ノッチとを一致させることによって係合するように構成される、
請求項１〜１１のいずれか１項に記載のクランプ組立体。
【請求項１３】
前記第２グリップが第１グリップウィング及び第２グリップウィングを画定する、請求項１２に記載のクランプ組立体。
【請求項１４】
前記第１グリップが第１グリップウィング及び第２グリップウィングを画定し、且つ、前記第２グリップが第３グリップウィング及び第４グリップウィングを画定する、請求項１２又は１３に記載のクランプ組立体。
【手続補正書】
【提出日】平成30年8月6日(2018.8.6)
【手続補正１】
【補正対象書類名】特許請求の範囲
【補正対象項目名】全文
【補正方法】変更
【補正の内容】
【特許請求の範囲】
【請求項１】
互いに対向する近位端および遠位端を有する細長シャフトであって、前記シャフトを近位−遠位方向に貫通する長軸と、外科用ハンドピースが前記シャフトを回転させるための前記ハンドピースへの前記シャフトの連結を容易にする、前記シャフトの前記近位端に隣接する幾何学的特徴部と、を有する、細長シャフトと、
前記シャフトの前記遠位端に取り付けられたヘッドであって、フルートの遠位端である先端と、前記シャフトから前記先端に遠位側に延在する対向する第１および第２の側を有するすくい面とを有するように形作られた単一フルートを有する、ヘッドと、
を備える、医療／外科処置を行なうためのバーであって、
前記フルートは、前記すくい面の第１の側が切刃を少なくとも部分的に画定し前記すくい面の第２の側が凹縁を少なくとも部分的に画定するように形作られており、前記フルートは、前記切刃および前記凹縁が前記先端から離れて近位に延在するにつれて前記切刃および前記凹縁の両方が前記先端から外方に湾曲することにより、少なくとも前記先端に隣接して前記切刃および前記凹縁の両方が凸状であるようにさらに形作られており、且つ前記シャフト長軸の延長線と直交する少なくとも１つの面において、前記切刃が前記シャフト長軸の前記延長線から第１の距離を隔てて位置し、前記凹縁が前記シャフト長軸の前記延長線から第２の距離を隔てて位置し、前記第２の距離は、前記第１の距離よりも小さくなるようにさらに形作られていることを特徴とする、バー。
【請求項２】
前記切刃を画定する前記すくい面の少なくとも一部は、平面である、請求項１に記載のバー。
【請求項３】
前記切刃と前記凹縁との間に延在する前記すくい面の少なくとも一区域は、平面であり、前記シャフトの前記長軸が貫通して延在している面内または前記シャフトを通る該長軸と平行の面内にある、請求項１または２に記載のバー。
【請求項４】
前記すくい面の大半は、前記フルートの前記切刃と前記凹縁との間で平面である、請求項３に記載のバー。
【請求項５】
前記ヘッドは、前記すくい面と対向するクリアランス面を有するように、さらに形成されている、請求項１〜３のいずれか１つに記載のバー。
【請求項６】
前記ヘッドは、
逃げ面が前記すくい面から延在し、前記すくい面と前記逃げ面との交線が、前記フルートの切刃を画定し、
前記クリアランス面は、前記すくい面から離間した前記逃げ面の端から前記凹縁に向かって延在する、ようにさらに形成されている、請求項５に記載のバー。
【請求項７】
前記クリアランス面の少なくとも一部は、前記すくい面の対向する部分と平行である、請求項５または６に記載のバー。
【請求項８】
前記クリアランス面の大半は、前記すくい面と平行である、請求項７に記載のバー。
【請求項９】
凹面が前記凹縁から離れる方に延在しており、前記すくい面と前記凹面との交線が前記フルートの前記凹縁を画定しており、
前記クリアランス面は、前記すくい面から離間した前記凹面の端から前記逃げ面に向かって延在している、
請求項５，６，７，または８のいずれか１つに記載のバー。
【請求項１０】
少なくとも１つのリブが前記バーヘッドの前記凹面から外方に延在しており、前記少なくとも１つのリブは、前記シャフト長軸の前記延長線から外方に、前記切刃が前記シャフト長軸の前記延長線から外方に延在する距離と等しいかまたはそれよりも短い距離にわたって、延在している、請求項９に記載のバー。
【請求項１１】
前記クリアランス面は、前記すくい面と前記クリアランス面との交線が凹縁を形成するように，前記切刃から離間した前記すくい面の端に向かって延在している、請求項５，６，または７のいずれか１つに記載のバー。
【請求項１２】
前記ヘッドは、前記すくい面および前記クリアランス面が前記シャフト長軸の前記延長線の両側に位置するように、前記シャフト上に配置されている、請求項５，６，７，８，９，１０または１１のいずれか１つに記載のバー。
【請求項１３】
前記ヘッドは、前記シャフトの前記シャフト長軸の延長線が前記すくい面に沿って延在するように、前記シャフトに対して配置されている、請求項１〜１１のいずれか１つに記載のバー。
【請求項１４】
前記ヘッドは、前記切刃および前記凹縁が前記シャフト長軸の前記延長線の両側に位置するように、さらに形成されている、請求項１〜１３のいずれか１つに記載のバー。
【請求項１５】
前記ヘッドは、すくい面が凹状輪郭を有すると共に対向する面が凸状輪郭を有するような凹凸輪郭を有している、請求項１，５，９，１０，１１，１２，１３，または１４のいずれか１つに記載のバー。
【請求項１６】
前記ヘッドの全長に沿って、前記切刃は、前記シャフトの前記長軸から前記凹縁よりもさらに離間している、請求項１〜１５のいずれか１つに記載のバー。
【請求項１７】
前記バーヘッドは、楕円状、丸状、ドングリ状、梨状、パドル状、または矢印状に形作られている、請求項１〜１６のいずれか１つに記載のバー。
【請求項１８】
外科用ハンドピースへの前記シャフトの連結を容易にする、前記シャフトの前記近位端に隣接する前記幾何学的特徴部は、前記シャフトに形成された刻み目と、チャック顎部によって保持されるように寸法決めされている前記シャフトとからなる群からである、
請求項１〜１７のいずれか１つに記載のバー。
【請求項１９】
前記ヘッドは、前記先端が前記シャフト長軸の前記延長線と直交する遠位端であるよう形作られている、
請求項１〜１８のいずれか１つに記載のバー。
【請求項２０】
前記ヘッドは、前記切刃先端および凹縁が前記シャフトから離れて遠位に延在するにつれて、前記切刃および前記凹縁が前記先端に向かって内方に直線状に延在する、矢印状である、
請求項１〜１９のいずれか１つに記載のバー。
【請求項２１】
前記ヘッドは、前記先端がシャフト長軸の延長線から離間するよう、前記シャフトに対して位置している、
請求項１〜２０のいずれか１つに記載のバー。
【請求項２２】
前記ヘッドは、前記先端が前記シャフトの前記長軸の前記延長線上に位置するよう、前記シャフトに対して位置している、
請求項１〜２１のいずれか１つに記載のバー。
【請求項２３】
前記ヘッドは、前記凹縁が前記先端から近位側に向かって延在するにつれて凸状を有するよう前記凹縁が外方に湾曲するように、さらに形成される、
請求項１〜２２のいずれか１つに記載のバー。
【請求項２４】
前記シャフト連結特徴部は、前記シャフトの前記外面に対して凹んでいる面である、
請求項１〜２３のいずれか１つに記載のバー。